(57)【要約】【課題】２方向以上に回転又は開閉可能な携帯端末装置では、閉状態において回転運動をさせた際、複数の突起と弾性部品が相対的に接触していない場合、操作部のキーと表示窓部のアクリル部材が擦れあい、傷付くことがある。【解決手段】携帯電話機１は上側筐体部２と下側筐体部３がヒンジ部４により開閉自在に結合されており、かつ、ヒンジ部５により回転自在に結合されている。下側筐体部３の先端部中央には、キー操作部８を構成する各キーの高さより若干高い高さの直方体状の弾性部品１０が設けられており、この弾性部品１０が、（Ｃ）の側面図、（Ｄ）の平面図及び（Ｅ）の正面図に示す閉状態において、上側筐体部２の下面部表面と接触することで、下側筐体部３とのクリアランスを確保している。閉状態において、突起部９は切り欠き部７と密接係合状態になり、回転用ヒンジ部５を軸に上側筐体部２が回転可動する動きを阻止している。【選択図】            図１
2004270807.tif 000002
【特許請求の範囲】
【請求項１】
少なくとも表示窓部が下面部表面に設けられた上側筐体部と、少なくともキー操作部が上面部表面に設けられた下側筐体部の各一側端部同士が、第１及び第２のヒンジ部により２方向以上に回動自在に結合され、前記第１のヒンジ部により前記上側筐体部の下面部と前記下側筐体部の上面部とが対向密接する閉状態又は前記上側筐体部の下面部と前記下側筐体部の上面部とが任意の角度に離間する開状態とされ、前記第２のヒンジ部により前記上側筐体部と前記下側筐体部とを相対的に水平方向に回転可能とした構成の携帯端末装置であって、
前記閉状態時に、前記第２のヒンジ部による前記上側筐体部と前記下側筐体部との相対的な水平方向の回転運動を阻止する回転阻止手段を、前記上側筐体部及び前記下側筐体部に設けたことを特徴とする携帯端末装置。
【請求項２】
前記回転阻止手段は、前記上側筐体部及び前記下側筐体部のうち一方の筐体部の先端部の左右両端にそれぞれ他方の筐体部側に突出するように設けられた２つの突起部と、前記上側筐体部及び前記下側筐体部のうち他方の筐体部の先端部の左右両端にそれぞれ形成された２つの切り欠き部とよりなり、前記閉状態時には、前記突起部と前記切り欠き部とが密接係合して、前記上側筐体部と前記下側筐体部との相対的な水平方向の回転運動を阻止することを特徴とする請求項１記載の携帯端末装置。
【請求項３】
前記回転阻止手段は、前記上側筐体部及び前記下側筐体部のうち一方の筐体部の先端部の左右両端にそれぞれ他方の筐体部側に突出するように設けられた２つの突起部と、該２つの突起部の間の前記一方の筐体部の先端部に形成された曲面形状の第１の曲斜面と、前記上側筐体部及び前記下側筐体部のうち他方の筐体部の先端部の左右両端にそれぞれ形成された２つの切り欠き部と、前記２つの切り欠き部の間の前記他方の筐体部の先端部に形成された、前記第１の曲斜面とほぼ同じ曲率半径の曲面形状の第２の曲斜面とよりなり、前記閉状態時には、前記突起部及び前記第１の曲斜面と前記切り欠き部及び前記第２の曲斜面とが密接係合して、前記上側筐体部と前記下側筐体部との相対的な水平方向の回転運動を阻止することを特徴とする請求項１記載の携帯端末装置。
【請求項４】
前記上側筐体部の先端部の下面部上又は前記下側筐体部の先端部の上面部上に、前記閉状態時に前記キー操作部と前記表示窓部との間に所定のクリアランスを確保するための所定の高さの弾性部品を設けたことを特徴とする請求項１乃至３のうちいずれか一項記載の携帯端末装置。
【請求項５】
前記２つの突起部は、前記一方の筐体部と一体的に形成されていることを特徴とする請求項１乃至４のうちいずれか一項記載の携帯端末装置。
【請求項６】
前記２つの突起部は、前記一方の筐体部と別部品で形成されていることを特徴とする請求項１乃至４のうちいずれか一項記載の携帯端末装置。
【発明の詳細な説明】
【０００１】
【発明の属する技術分野】
本発明は携帯端末装置に係り、特に傷擦れ防止構造を備えた折り畳み型の携帯端末装置に関する。
【０００２】
【従来の技術】
図６は従来の携帯端末装置の一例の外観斜視図を示す。同図において、折り畳み型携帯電話機１０は、大略直方体状の下側筐体部２１と上側筐体部２２の各一端部がヒンジ部２３により回動自在に結合されており、図のように開状態では、各種のキー２４やマイク２５などが設けられた下側筐体部２１の上面部と、表示窓部２６やレシーバ２７などが設けられた上側筐体部２２の下面部とが所定角度間隔離間されて使用可能状態となり、不使用状態では、上記の下側筐体部２１の上面部と上側筐体部２２の下面部とが対向密接した閉状態となる。従って、折り畳み型携帯電話機１０は、下側筐体部２１の上面部と上側筐体部２２の下面部とが、図６にＩで示す開閉範囲で開閉される。
【０００３】
この折り畳み型携帯電話機１０は、近年携帯電話機の主流となって折り、そのヒンジ部２３は、図６に示すように下側筐体部２１と上側筐体部２２の１方向に可動する構造（開閉運動）になっており、下側筐体部２１に形成された複数個の突起（凸）２８と、上側筐体部２２に設けられた通常ゴム等の弾性をもつ部品２９とを、閉状態時に対向密接するように配置して相対する表面とのクリアランスを確保することにより、閉状態時の下側筐体部２１の上面部と上側筐体部２２の下面部の表面傷付きを防止している。
【０００４】
また、図７、図８及び図９は従来の携帯端末装置の第２の実施の形態の半開状態、全開状態及び閉状態の外観斜視図を示す。この従来の携帯端末装置は、カメラ付き携帯電話機３０で、大略直方体状の下側筐体部３１と上側筐体部３２の各一端部がヒンジ部３３により回動自在に結合されており、図７に示す半開状態では、下側筐体部３１と上側筐体部３２とがほぼ９０度の角度開いた状態とされて、矢印ＩＩで示すように、ヒンジ部３８を中心にして上側筐体部３２が回転可能とされている。
【０００５】
下側筐体部３１の上面部には、各種のキー３４やマイク３５などが設けられ、上側筐体部３２の下面部には、表示窓部３６、レシーバ３７、上面部にはカメラ（図示せず）などが設けられており、図８の全開状態と同様に使用可能状態である。
【０００６】
また、図８に示す全開状態では、携帯電話機３０は、下側筐体部３１と上側筐体部３２とが矢印ＩＩＩで示すように、ヒンジ部３３を中心としてほぼ１８０度開いた状態とされ、この状態でヒンジ部３８を中心にして上側筐体部３２が矢印ＩＶで示すように回転可能とされている。更に、携帯電話機３０の不使用状態では、図９に示すように、上記の下側筐体部２１の上面部と上側筐体部２２の下面部とが対向密接した閉状態とされ、この状態で矢印Ｖで示すように回転可能状態とされる。このように、この従来の携帯端末装置である携帯電話機３０は、２方向以上に可動するヒンジ部３３及び３８が配置され、折り畳み型携帯電話機２０と同様に、閉状態時に対向密接するように配置した複数の突起３９と弾性部品４０により、閉状態時の傷付き（擦れ）を防止する構造になっている。
【０００７】
更に、本体操作部を覆う蓋体を回動して開くことにより、本体操作部を表出して使用するように構成された携帯電話機において、本体操作部の前面から突出する弾性材からなる操作部キースイッチと一体に形成されたクッションを、蓋体と本体操作部との閉合部分に突出させて、閉状態時に蓋体がクッションに接触するようにして閉状態時の傷付きを防止するようにした携帯端末装置も従来より知られている（例えば、特許文献１参照）。
【０００８】
【特許文献１】
特開平１１−２７５１９１号公報（第１−２頁）
【０００９】
【発明が解決しようとする課題】
しかるに、図６及び特許文献１に記載の従来の携帯端末装置は、いずれも開状態と閉状態のいずれしかなく、その傷付き防止のための構造は図７〜図９に示した従来の携帯端末装置のような２方向以上に回転又は開閉可能な携帯端末装置には適用できない。
【００１０】
一方、図７〜図９に示した従来の携帯端末装置のような２方向以上に回転又は開閉可能な携帯端末装置では、図９に示す様に折り畳んだ閉状態において、矢印Ｖで示す方向に回転運動をさせた際、複数の突起３９と弾性部品４０が相対的に接触していない場合、突起３９が上側筐体部３２の下面部上を擦ってしまい、この状態においては相対する表面の適切なクリアランスが確保できず、操作部のキー３４と表示窓部３６のアクリル部材も擦れあい、各々部品が傷付くという問題がある。
【００１１】
本発明は以上の点に鑑みなされたもので、閉状態にある上側筐体部と下側筐体部との密接対向表面部の回転又は開閉時の擦れによる各表面の傷付きを防止し得る構造を備えた２方向以上に回転又は開閉可能な折り畳み型の携帯端末装置を提供することを目的とする。
【００１２】
【課題を解決するための手段】
上記の目的を達成するため、第１の発明は、少なくとも表示窓部が下面部表面に設けられた上側筐体部と、少なくともキー操作部が上面部表面に設けられた下側筐体部の各一側端部同士が、第１及び第２のヒンジ部により２方向以上に回動自在に結合され、第１のヒンジ部により上側筐体部の下面部と下側筐体部の上面部とが対向密接する閉状態又は上側筐体部の下面部と下側筐体部の上面部とが任意の角度に離間する開状態とされ、第２のヒンジ部により上側筐体部と下側筐体部とを相対的に水平方向に回転可能とした構成の携帯端末装置であって、閉状態時に、第２のヒンジ部による上側筐体部と下側筐体部との相対的な水平方向の回転運動を阻止する回転阻止手段を、上側筐体部及び下側筐体部に設けたことを特徴とする。
【００１３】
この発明では、閉状態時の第２のヒンジ部による上側筐体部と下側筐体部との相対的な水平方向の回転運動を阻止することができるため、表示窓部とキー操作部とが接触した状態で回転して擦れることを防止できる。
【００１４】
また、上記の目的を達成するため、第２の発明は、上記の第１の発明の回転阻止手段を、上側筐体部及び下側筐体部のうち一方の筐体部の先端部の左右両端にそれぞれ他方の筐体部側に突出するように設けられた２つの突起部と、上側筐体部及び下側筐体部のうち他方の筐体部の先端部の左右両端にそれぞれ形成された２つの切り欠き部とよりなる構成とし、閉状態時には、突起部と切り欠き部とが密接係合して、上側筐体部と下側筐体部との相対的な水平方向の回転運動を阻止することを特徴とする。
【００１５】
また、上記の目的を達成するため、第３の発明は、上記の第１の発明の回転阻止手段を、上側筐体部及び下側筐体部のうち一方の筐体部の先端部の左右両端にそれぞれ他方の筐体部側に突出するように設けられた２つの突起部と、２つの突起部の間の一方の筐体部の先端部に形成された曲面形状の第１の曲斜面と、上側筐体部及び下側筐体部のうち他方の筐体部の先端部の左右両端にそれぞれ形成された２つの切り欠き部と、２つの切り欠き部の間の他方の筐体部の先端部に形成された、第１の曲斜面とほぼ同じ曲率半径の曲面形状の第２の曲斜面とよりなる構成とすることにより、閉状態時には、突起部及び第１の曲斜面と切り欠き部及び第２の曲斜面とが密接係合して、上側筐体部と下側筐体部との相対的な水平方向の回転運動を阻止することを特徴とする。
【００１６】
また、上記の目的を達成するため、第４の発明は、第１乃至第３の発明の上側筐体部の先端部の下面部上又は下側筐体部の先端部の上面部上に、閉状態時にキー操作部と表示窓部との間に所定のクリアランスを確保するための所定の高さの弾性部品を設けたことを特徴とする。この発明では、キー操作部と表示窓部とが閉状態時に接触することを防止することができる。
【００１７】
ここで、第１乃至第４の発明の２つの突起部は、一方の筐体部と一体的に形成されていてもよいし、一方の筐体部と別部品で形成されていてもよい。一体的に形成されている場合は製造が簡単であり、別部品で構成した場合は、デザイン的な制約を緩和することができる。
【００１８】
【発明の実施の形態】
次に、本発明の実施の形態について図面と共に説明する。図１は本発明になる携帯電話装置の第１の実施の形態の開状態と閉状態の側面図、平面図等を示す図、図２は本発明になる携帯電話装置の第１の実施の形態の閉状態時の外観斜視図を示す。各図中、同一構成部分には同一符号を付してある。
【００１９】
図１（Ａ）及び（Ｂ）は、本発明になる携帯電話装置の一実施の形態である折り畳み型携帯電話機１の開状態時の側面図及び平面図で、携帯電話機１は上側筐体部２と下側筐体部３の各一側端部がヒンジ部４により開閉自在に結合されており、かつ、ヒンジ部５により水平方向に回転自在に結合されている。すなわち、上側筐体部２と下側筐体部３は、上側筐体部２の下面部と下側筐体部３の上面部とがヒンジ部４により互いに対向密接する閉状態又は任意角度に離間する開状態とされ、上側筐体部２の下面部と下側筐体部３の上面部とがヒンジ部５により互いに平行な方向（水平方向）に回転可能とされている。
【００２０】
上側筐体部２には、図１（Ｂ）に示すように、キー表示その他の表示を行う表示窓部６などが下面部に配置されると共に、ヒンジ部４及び５と反対側端部（先端部）の左右角部に切り欠き部７が形成されている。表示窓部６は、透明な材料（例えばアクリル材）であり、上側筐体部２の内部に実装された液晶表示素子（ＬＣＤ）を保護している。また、上側筐体部２の先端部の切り欠き部７は、上側筐体部２と下側筐体部３を、図１（Ｃ）〜（Ｅ）及び図２に示すように比較的に適正な位置で閉状態にした際、下側筐体部３の突起部９を避ける位置に対向するように形成されている。
【００２１】
下側筐体部３には、図１（Ｂ）に示すように、その上面部に各種のキーからなるキー操作部８やマイク１１が配置されると共に、ヒンジ部４及び５と反対側端部（先端部）の左右角部に、図１（Ａ）に示すように、開状態時の上側筐体部２の下面部の高さ位置程度の高さの突起部９がそれぞれ形成されている。キー操作部８を構成する各キーは、操作性（押し易さ）を考慮し、下側筐体部３の上面部表面より若干高く形成されている。
【００２２】
また、下側筐体部３の先端部中央には、キー操作部８を構成する各キーの高さより若干高い高さの直方体状の弾性部品（例えばゴム）１０が設けられており、この弾性部品１０が、図１（Ｃ）の側面図、同図（Ｄ）の平面図及び同図（Ｅ）の正面図に示す閉状態において、上側筐体部２の下面部表面と接触することで、下側筐体部３とのクリアランスを確保している。更に、図２に示すように、閉状態において、突起部９は切り欠き部７と密接係合状態になり、回転用ヒンジ部５を軸に上側筐体部２が矢印ＶＩ方向に回転可動する動きを阻止している。
【００２３】
以上の構成とすることにより、本実施の形態によれば、閉状態の回転時に上側筐体部２の下面部表面と下側筐体部３の上面部表面や、表示窓部６とキー操作部８が接触することなく傷付き、擦れなどを防止することができる。
【００２４】
なお、閉状態において、上側筐体部２を矢印ＶＩ方向へ回転させるためには、開閉用ヒンジ部４を軸として突起部９に接触しない位置まで上側筐体部２を開方向に可動しなければならない。また、突起部９の形状や高さは、上側筐体部２を回転させた時に上側筐体部２の下面部表面と下側筐体部３の上面部表面や、表示窓部６とキー操作部８が擦れ合わなければ特に限定しない。
【００２５】
次に、本発明の第２の実施の形態について説明する。図３は本発明になる携帯電話装置の第２の実施の形態の開状態と閉状態の側面図、平面図等を示す図、図４は本発明になる携帯電話装置の第２の実施の形態の閉状態時の外観斜視図を示す。各図中、図１及び図２と同一構成部分には同一符号を付してある。図３（Ａ）及び（Ｂ）は、本発明になる携帯電話装置の第２の実施の形態である折り畳み型携帯電話機１４の開状態時の側面図及び平面図で、携帯電話機１４は上側筐体部１５と下側筐体部１６の各一側端部がヒンジ部４により開閉自在に結合されており、かつ、ヒンジ部５に回転自在に結合されている。
【００２６】
上側筐体部１５には、図３（Ｂ）に示すように、透明な材料による表示窓部６などが下面部に配置されると共に、ヒンジ部４及び５と反対側端部（先端部）の左右角部に切り欠き部７が形成されており、切り欠き部７が上側筐体部１５と下側筐体部１６を、図３（Ｃ）〜（Ｅ）及び図４に示すように比較的に適正な位置で閉状態にした際、下側筐体部１６の突起部９を避ける位置に対向するように形成されている点は、前記図１及び図２に示した実施の形態と同様であるが、２つの切り欠き部７の間の先端部が表示窓部６の形成側表面（下面部表面）側に凸の曲斜面１７で形成されている点が前記図１及び図２に示した実施の形態と異なる。
【００２７】
一方、下側筐体部１６には、図３（Ｂ）に示すように、キー操作部８やマイク１１が配置されると共に、ヒンジ部４及び５と反対側端部（先端部）の左右角部に、図３（Ａ）に示すように、開状態時の上側筐体部１５の下面部の高さ位置程度の高さの突起部９がそれぞれ形成されている点は、前記図１及び図２に示した実施の形態と同様であるが、２つの突起部９の間の先端部がキー操作部８の形成側表面（上面部表面）側に凹の曲斜面１８で形成されている点が前記図１及び図２に示した実施の形態と異なる。ここで、上記の曲斜面１７と１８は、図３（Ｅ）及び図４に示すように、互いに曲率半径がほぼ同じ同心円の円弧の一部を形成しており、閉状態のときには殆ど隙間無く対向するように形成されている。
【００２８】
上記の構成とすることにより、本実施の形態では図３（Ｃ）〜（Ｅ）及び図４に示した閉状態においては、上側筐体部１５を図４の矢印ＶＩＩ方向へ回転させる場合は、曲斜面１８に沿って突起部９を乗り越えて行われるため、円滑な回転運動をすることができる。
【００２９】
従って、本実施の形態によれば、この閉状態の回転時には、上側筐体部１５の下面部と下側筐体部１６の弾性部品１０が接触している時の最低限のクリアランスも確保して回転運動をするため、上側筐体部１５の下面部表面と下側筐体部１６の上面部表面や、表示窓部６とキー操作部８が接触することがなく、よって傷付き、擦れなどを防止することができる。また、本実施の形態は、第１の実施の形態に比べて、上側筐体部１５の先端部と下側筐体部１６の先端部が曲斜面１７、１８を有しているため外観デザインが優れている。なお、突起部９の高さや曲斜面１７、１８の形状は、上側筐体部１５を回転させた時に表示窓部６とキー操作部８が擦れ合わなければ特に限定しない。
【００３０】
次に、本発明の第３の実施の形態について説明する。図５は本発明になる携帯電話装置の第３の実施の形態の閉状態時の外観斜視図を示す。同図中、図１及び図２と同一構成部分には同一符号を付し、その説明を省略する。上記の図１及び図２に示した実施の形態では、突起部９が上側筐体部２と一体的に形成されていたのに対し、図５に示す実施の形態の折り畳み型携帯電話機は、突起部１９が上側筐体部２ａとは別部品で構成されている点に特徴がある。ここで、上側筐体部２ａは、図１及び図２に示した上側筐体部２の突起部９を除いた部分からなる。
【００３１】
この実施の形態では、突起部１９が上側筐体部２ａとは別部品で構成されているため、デザイン制約の緩和効果を期待できる。すなわち、例えば、突起部１９を上側筐体部２ａや下側筐体部３と異なる色彩で構成したり、着信時に光らせる着信サインの構成とすることができる。
【００３２】
なお、本発明は以上の実施の形態に限定されるものではなく、例えばカメラ部は設けられていてもいなくても、どちらでも本発明を適用できる。また、第１の実施の形態では、突起部９と弾性部品１０を設けているが、突起部９だけでも閉状態の回転時に上側筐体部２の下面部表面と下側筐体部３の上面部表面や、表示窓部６とキー操作部８が接触することなく傷付き、擦れなどを防止することができる（弾性部品１０は必ずしも設けなくてもよい）。
【００３３】
また、以上の実施の形態では、突起部９、１９を上側筐体部２、２ａ、１５に設けているが、下側筐体部に設けるようにしてもよい（この場合は、切り欠き部７は上側筐体部に設ける必要がある。）。同様に、弾性部品１０は、上側筐体部２、２ａ、１５に設けてもよい。更に、第２の実施の形態の突起部９を筐体部と別部品で構成することもできる。
【００３４】
【発明の効果】
以上説明したように、本発明によれば、閉状態時の第２のヒンジ部による上側筐体部と下側筐体部との相対的な水平方向の回転運動を阻止することにより、表示窓部とキー操作部とが接触した状態で回転して擦れることを防止するようにしたため、閉状態での回転による表示窓部やキー操作部などの擦れによる傷付きを防止することができる。
【００３５】
また、本発明によれば、閉状態時には、一方の筐体部に設けられた２つの突起部及びそれらの間の第１の曲斜面と、他方の筐体部に設けられた２つの切り欠き部及びそれらの間の第２の曲斜面とが密接係合して、上側筐体部と下側筐体部との相対的な水平方向の回転運動を阻止するようにしたため、外観デザインに優れた構成により、閉状態での回転による表示窓部やキー操作部などの擦れによる傷付きを防止することができる。
【００３６】
更に、本発明によれば、閉状態時にキー操作部と表示窓部との間に所定のクリアランスを確保するための所定の高さの弾性部品を設けることにより、キー操作部と表示窓部とが閉状態時に接触することを防止するようにしたため、閉状態時の接触によるキー操作部や表示窓部の傷付きを防止することができる。
【図面の簡単な説明】
【図１】本発明装置の第１の実施の形態の開状態と閉状態の側面図、平面図等を示す図である。
【図２】本発明装置の第１の実施の形態の閉状態時の外観斜視図である。
【図３】本発明装置の第２の実施の形態の開状態と閉状態の側面図、平面図等を示す図である。
【図４】本発明装置の第２の実施の形態の閉状態時の外観斜視図である。
【図５】本発明装置の第３の実施の形態の閉状態時の外観斜視図である。
【図６】従来装置の一例の開状態時の外観斜視図である。
【図７】従来装置の他の例の半開状態時の外観斜視図である。
【図８】従来装置の一例の全開状態時の外観斜視図である。
【図９】従来装置の一例の閉状態時の外観斜視図である。
【符号の説明】
１、１４  折り畳み型携帯電話機
２、２ａ、１５  上側筐体部
３、１６  下側筐体部
４  開閉用ヒンジ部
５  回転用ヒンジ部
６  表示窓部
７  切り欠き部
８  キー操作部
９、１９  突起部
１０  弾性部品
１７、１８  曲斜面
【図１】
2004270807.tif 000003
【図２】
2004270807.tif 000004
【図３】
2004270807.tif 000005
【図４】
2004270807.tif 000006
【図５】
2004270807.tif 000007
【図６】
2004270807.tif 000008
【図７】
2004270807.tif 000009
【図８】
2004270807.tif 000010
【図９】
2004270807.tif 000011